【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  種々のバーコードが印刷される対象物上の画像からバーコードを認識するバーコード読取装置において、
上記対象物上の画像を光学的に撮像する撮像手段と、
この撮像手段により撮像した画像に対して、種々のバーコードを認識する機能を有する認識手段と、
上記撮像手段により撮像した画像を上記認識手段に送り、上記認識手段によるバーコードの認識処理を実行させる制御手段と、
を有することを特徴とするバーコード読取装置。
【請求項２】  種々のバーコードが印刷される対象物上の画像からバーコードを認識するバーコード読取装置において、
上記対象物上の画像を光学的に撮像する撮像手段と、
この撮像手段により撮像した画像に対して、それぞれが種々のバーコードを認識する機能を有する複数の認識手段と、
これらの複数の認識手段に優先して認識させるバーコードの種類を割り当て、上記撮像手段により撮像した画像を上記各認識手段にそれぞれ配信し、上記複数の認識手段にて優先される種類のバーコードの認識処理を優先しつつ種々のバーコードの認識処理を並行して実行させる制御手段と、
を有することを特徴とするバーコード読取装置。
【請求項３】  種々のバーコードが印刷される対象物上の画像からバーコードを認識するバーコード読取方法において、
上記対象物上の画像を光学的に撮像する撮像工程と、
この撮像工程により撮像した画像を種々のバーコードを認識する機能を有する認識処理部に送り、上記認識処理部によるバーコードの認識処理を実行させる制御工程と、
を有することを特徴とするバーコード読取方法。
【請求項４】  種々のバーコードが印刷される対象物上の画像からバーコードを認識するバーコード読取方法において、
上記対象物上の画像を光学的に撮像する撮像工程と、
この撮像工程により撮像した画像に対して、それぞれが種々のバーコードを認識する機能を有する複数の認識処理部に優先して認識させるバーコードの種類を割り当て、上記撮像工程により撮像した画像を上記各認識処理部にそれぞれ配信し、上記複数の認識処理部にて優先される種類のバーコードの認識処理を優先しつつ種々のバーコードの認識処理を並行して実行させる制御工程と、
を有することを特徴とするバーコード読取方法。
【請求項５】  種々のバーコードが印刷される紙葉類上の画像からバーコードを認識するバーコード読取装置を有する紙葉類処理装置において、
上記紙葉類の画像を光学的に読み取って当該紙葉類に記載されている宛先情報の文字認識を行う文字認識手段と、
この文字認識手段により宛先情報が認識できた場合に、認識された宛先情報を示す第１のバーコードを紙葉類に印刷し、上記文字認識手段により宛先情報が認識できなかった場合に、紙葉類を識別するための第２のバーコードを紙葉類に印刷するバーコード印刷手段と、
上記第２のバーコードが印刷された紙葉類の宛先情報を打鍵入力させるコーディング処理手段と、
上記バーコード読取装置により読み取った第１のバーコードあるいは第２のバーコードに基づいて紙葉類を区分する区分手段と、を具備し、
上記バーコード読取装置が、
上記紙葉類上の画像を光学的に撮像する撮像手段と、
この撮像手段により撮像した画像に対して、第１、第２のバーコードを認識する機能を有する認識手段と、
上記撮像手段により撮像した画像を上記認識手段に送り、上記認識手段による第１あるいは第２のバーコードの認識処理を実行させる制御手段と、を有する、
ことを特徴とする紙葉類処理装置。
【請求項６】  種々のバーコードが印刷される紙葉類上の画像からバーコードを認識するバーコード読取装置を有する紙葉類処理装置において、
運転モードを選択する選択手段と、
上記紙葉類の画像を光学的に読み取って当該紙葉類に記載されている宛先情報の文字認識を行う文字認識手段と、
この文字認識手段により宛先情報が認識できた場合に、認識された宛先情報を示す第１のバーコードを紙葉類に印刷し、上記文字認識手段により宛先情報が認識できなかった場合に、紙葉類を識別するための第２のバーコードを紙葉類に印刷するバーコード印刷手段と、
上記第２のバーコードが印刷された紙葉類の宛先情報を打鍵入力させるコーディング処理手段と、
上記バーコード読取装置により読み取った第１のバーコードあるいは第２のバーコードに基づいて紙葉類を区分する区分手段と、を具備し、
上記バーコード読取装置が、
上記紙葉類上の画像を光学的に撮像する撮像手段と、
この撮像手段により撮像した画像に対して、それぞれが第１、第２のバーコードを認識する機能を有する複数の認識手段と、
上記選択手段により選択されている運転モードに基づき、上記複数の認識手段に対して第１あるいは第２のバーコードの認識を優先に割り当て、上記撮像手段により撮像した画像を上記各認識手段にそれぞれ配信し、上記複数の認識手段にて優先される第１あるいは第２のバーコードの認識を優先しつつ第１及び第２のバーコードの認識処理を並行して実行させる制御手段と、を有する、
ことを特徴とする紙葉類処理装置。
【請求項７】  種々のバーコードが印刷される紙葉類上の画像からバーコードを認識するバーコード読取装置を有する紙葉類処理装置において、
運転モードを選択する選択手段と、
上記紙葉類の画像を光学的に読み取って当該紙葉類に記載されている宛先情報の文字認識を行う文字認識手段と、
この文字認識手段により宛先情報が認識できた場合に、認識された宛先情報を示す第１のバーコードを紙葉類に印刷し、上記文字認識手段により宛先情報が認識できなかった場合に、紙葉類を識別するための第２のバーコードを紙葉類に印刷するバーコード印刷手段と、
上記第２のバーコードが印刷された紙葉類の宛先情報を打鍵入力させるコーディング処理手段と、
上記バーコード読取装置により読み取った第１のバーコードあるいは第２のバーコードに基づいて紙葉類を区分する区分手段と、を具備し、
上記バーコード読取装置が、
上記対象物上の画像を光学的に撮像する撮像手段と、
この撮像手段により撮像した画像に対して、それぞれが種々のバーコードを認識する機能を有する複数の認識手段と、
上記選択手段により選択されている運転モードに基づき、上記複数の認識手段に対して第１あるいは第２のバーコードの認識を優先に割り当て、上記撮像手段により撮像した画像を上記各認識手段にそれぞれ配信し、上記複数の認識手段による第１及び第２のバーコードの認識処理を並行して実行させ、上記複数の認識手段のうち処理待ち状態の認識手段の数が所定数以下である場合、処理待ちの認識手段には優先して認識させる第１あるいは第２のバーコードの認識処理を実行させる制御手段と、を有する、
ことを特徴とする紙葉類処理装置。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】削除
【補正の内容】